(57)【要約】      （修正有）【課題】口から吐いた息を鼻から吸い込むことをほぼ完全に防止することができるマスクを提供する。【解決手段】着用者１００の少なくとも口元および鼻孔を覆うマスク本体１０と、マスク本体１０を着用者１００の耳に係止するための左右一対の耳掛部４０と、着用者１００の鼻孔と口元との間に位置し、マスク本体１０の外側から前方に突出して設けられる庇部３０と、マスク本体１０の内側の中央付近に設けられ、少なくとも着用者１００の口元の上部および側部を囲み、マスク本体１０の内部において口元を覆う部分を区画するように構成される口分離部２０と、を備えたマスク１である。【選択図】図３
0003228839.tif 000002
【実用新案登録請求の範囲】
【請求項１】
着用者の少なくとも口元および鼻孔を覆うマスク本体と、
前記マスク本体を前記着用者の耳に係止するための左右一対の耳掛部と、
前記着用者の鼻孔と口元との間に位置し、前記マスク本体の外側から前方に突出して設けられる庇部と、
前記マスク本体の内側の中央付近に設けられ、少なくとも前記着用者の口元の上部および側部を囲み、当該マスク本体の内部において口元を覆う部分を区画するように構成される口分離部と、
を備えたマスク。
【請求項２】
前記口分離部が、垂直方向に開口したコの字型であり、当該コの字型の水平辺が前記着用者の鼻孔と口元との間に位置することを特徴とする請求項１に記載のマスク。
【考案の詳細な説明】
【技術分野】
【０００１】
本考案は、マスクに関する。
【背景技術】
【０００２】
従来から、花粉症対策、風邪やインフルエンザ予防対策としてマスクが着用されていた。最近では、新型コロナウィルスの感染予防対策として、マスクを着用することが一般的となっている。
【０００３】
ところで、一般的に使用されるマスクは着用時に鼻孔と口元とを同時に覆い、密閉度も高く、また、鼻で吸い込む空気量よりも口から吐き出す空気量が多い（鼻で吸い込む空気量と口から吐き出す空気量の比は、３：７とも言われている。）ために、口から吐いた息を鼻で吸い込んでしまう。そのため、マスク着用時に鼻から吸い込む空気は、マスク内にある口から吐いた息が主であってマスク外部の空気（外気）は少ししか取り込まれない。そのために、マスク内の酸素濃度が低下し、マスクを着用したまま呼吸を続けると、脳は酸素不足となり疲労して頭痛を引き起こすことがあるという問題点があった。また、マスク内に熱がこもってしまい、熱中症を引き起すことがあるという問題点もあった。また、口から吐いた息に含まれる口臭、唾液の飛沫、熱を吸い込んでしまい、不快感を生じるという問題点もあった。そこで、マスク内部において、鼻孔と口元とを分離させるマスクが開示されている（特許文献１，２参照）。
【先行技術文献】
【特許文献】
【０００４】
【特許文献１】実用新案登録第３１５０９０５号
【特許文献２】実用新案登録第３２０７８４２号
【考案の概要】
【考案が解決しようとする課題】
【０００５】
しかしながら、上記マスクでは、鼻孔と口元とを完全に分離しているわけではないために、口から吐いた息を鼻で吸い込むことを完全に防ぐことはできないという問題点があった。更に、最近着用されている布やガーゼのマスクは目が粗いため、マスクを介しても口から吐き出された息を鼻で吸い込んでしまい、また、口から吐き出された息に含まれる口臭、唾液の飛沫、熱をマスクで取り除ききれず、マスクを介して口から吐き出された息を鼻で吸い込んだ際に不快感も生じるという問題点もあった。
【０００６】
そこで、本考案は、上記事実を考慮して、口から吐いた息を鼻から吸い込むことをほぼ完全に防止するマスクを提供することを目的とする。
【課題を解決するための手段】
【０００７】
上記課題を解決する第１の態様は、着用者の少なくとも口元および鼻孔を覆うマスク本体と、マスク本体を着用者の耳に係止するための左右一対の耳掛部と、着用者の鼻孔と口元との間に位置し、マスク本体の外側から前方に突出して設けられる庇部と、マスク本体の内側の中央付近に設けられ、少なくとも着用者の口元の上部および側部を囲み、マスク本体の内部において口元を覆う部分を区画するように構成される口分離部と、を備えたマスクである。
【０００８】
上記課題を解決する第２の態様は、口分離部が、垂直方向に開口したコの字型であり、コの字型の水平辺が前記着用者の鼻孔と口元との間に位置することを特徴とする第１の態様のマスクである。
【考案の効果】
【０００９】
上記構成のマスクによれば、口から吐いた息を鼻から吸い込むことをほぼ完全に防止することができる。
【図面の簡単な説明】
【００１０】
【図１】図１は、本実施形態に係るマスクを示す正面斜視図である。
【図２】図２は、図１に示されるマスクの背面斜視図である。
【図３】図３は、図１および図２に示されるマスクの着用図である。
【考案を実施するための形態】
【００１１】
以下、図１から図３を用いて、本実施形態に係るマスク１について説明する。マスク１は、マスク本体１０、口分離部２０、庇部３０、および耳掛部４０，４１を備える。なお、図に示すように、マスクの着用者１００から見た方向を基準として前後、左右および上下を定めて説明する。また、マスク着用時に、着用者１００の顔面と接する側をマスク本体１０の内側、一方、外気と接する側をマスク本体１０の外側という。さらに、マスク本体１０と着用者１００の顔面との間に形成される空間を、マスク内部空間という。
【００１２】
（マスク本体）
マスク本体１０は、着用者１００の少なくとも口元および鼻孔を覆うものであって、左右一対の平板なシート１１，１２の一端縁を湾曲状の接合部１３で接合したものであり、その構成は従来からある立体状のマスクに共通するものである。具体的には、マスク本体１０は、接合部１３を中心に左右対称であって、マスク本体１０が前方に膨出したカップ状の凸部を形成し、着用者１００の顔面の頬から顎に掛けてほぼ密着し、口元および鼻孔を覆うことができる。このとき、マスク本体１０はカップ状となるので、マスク本体１０が口元や鼻孔に直接密着することがなく、呼吸が楽であり、不快感がない。
【００１３】
なお、マスク本体１０の形状は、口元および鼻孔を覆うことが可能ならば、図１から図３に示す形状に限定されず、例えば、略楕円の形状、略逆三角の形状、略多角形の形状、それらの組み合わせなどであってもよい。
【００１４】
マスク本体１０、すなわちシート１１，１２は、１枚のシートで構成されてもよいし、複数のシートを厚み方向に積層した構造であってもよい。また、マスク本体１０、すなわちシート１１，１２の材料は、不織布、シリコン、ガーゼ、布、等、一般的なマスクの材料として用いられている周知のシート材料を用いることができる。
【００１５】
（口分離部）
口分離部２０は、マスク本体１０の内側の中央付近に設けられる。そして、口分離部２０は、少なくとも着用者１００の口元の上部および側部を囲み、マスク内部空間において着用者１００の口元周りの空間を区画する。それにより、口分離部２０は、マスク内部空間を、着用者１００の鼻孔周りの空間５０と、着用者１００の口元周りの空間５１とに分離する。なお、口分離部２０はマスク本体１０との接合されており、その方法は、当業者に通常用いられる方法であれば特に制限されないが、例えば、接着剤を塗布し接合する方法、加熱による融着し接合する方法等である。
【００１６】
具体的には、図２および図３に示すように、口分離部２０は、全体が垂直方向下向きに開口したコの字型に形成され、上部分離部２１と上部分離部２１の両端から平行に伸びる一対の左右分離部２２，２３とを備える。マスク着用時には、上部分離部２１は、着用者１００の口元および鼻孔の間に位置して、左右分離部２２，２３は、着用者１００の口元の両側に位置する。左右分離部２２，２３は、マスク下端縁１４近傍まで伸びている。そして、口分離部２０は、マスク下端縁１４を含んで、口元の周囲を囲み、マスク内部空間において着用者１００の口元周りの空間５１を区画する。口分離部２０の長さは、マスクの大きさによって適宜決まるが、例えば、上部分離部２１の長さは１４ｃｍ程度、左右分離部２２，２３の長さは７ｃｍ程度である。
【００１７】
また、口分離部２０は、角型棒状体であって、例えば、一辺１０ｍｍの正方形断面を有する。角型棒状体の着用者１００の顔面に接触する面は、平面に限らず、顔面に密着する形状であればよく、例えば、緩やかな曲面であってもよい。角型棒状体の素材は、弾性および防水性を有するのが望ましいが、通気性は有さない方が望ましく、例えば、ゴムやウレタン樹脂である。また、角型棒状体は、肌触りがよいものが望ましい。角型棒状体が防水性を有する場合には、洗濯をしても角型棒状体の形状が崩れないため、マスク１は洗濯することができる。
【００１８】
（庇部）
庇部３０は、マスク本体１０の外側であって、マスク着用時には、着用者１００の鼻孔と口元との間に位置する部分に、前方に向かって突き出るように、設けられる。なお、庇部３０はマスク本体１０と接合されており、その方法は、当業者に通常用いられる方法であれば特に制限されないが、例えば、糸を使用して縫製し接合する方法、接着剤を塗布し接合する方法、加熱による融着し接合する方法等である。
【００１９】
庇部３０は、接合部１３上にある左右方向中央部３１における前方への突出量が最大長となり、左右方向両端部３２，３３における前方への突出量が左右方向中央部３１の突出量以下であるように形成される。図１に示すように、庇部３０は、平面視、三日月型の小片であり、例えば、左右方向中央部３１における前方への突出量は３０ｍｍ程度であって、左右方向両端部３２，３３における前方への突出量は０ｍｍである。
【００２０】
また、庇部３０の左右方向の長さは、着用者１００の口の横幅よりも長く、マスク本体１０の横幅よりも短ければよい。具体的には、庇部３０の左右方向の長さは、日本人の口の横幅が４５ｍｍ〜５５ｍｍ程度（日本人頭部寸法データベース２００１参照  https://www.airc.aist.go.jp/dhrt/head/index.html）であることから、６０ｍｍ〜１２０ｍｍ程度であるのが望ましい。
【００２１】
また、庇部３０の厚みは、特に限定されないが、マスク１が重くならないように、薄い方が望ましく、１ｍｍ〜３ｍｍ程度が好ましい。更に、庇部３０は、前方に向かって徐々に厚みが薄くなる形状であってもよい。更にまた、庇部３０の素材は特に限定されないが、マスク本体と同じ素材で形成されるのが望ましい。
【００２２】
（耳掛部）
耳掛部４０，４１は、マスク本体１０の左／右端部１５，１６それぞれに接合され、着用者１００の顔にマスク本体１０を保持するものである。具体的には、マスク本体１０の左側において、紐状の部材の一方の端部をマスク本体１０の左端部１５の上部に接合させ、他方の端部をマスク本体１０の左端部１５の下部に接合させることによって形成されている。マスク本体１０の右側においても同様である。耳掛部４０，４１の接合方法は、特に限定されず、当業者に通常用いられる方法であれば特に制限されないが、例えば、糸を使用して縫製し接合する方法、接着剤を塗布し接合する方法、加熱による融着し接合する方法等である。なお、耳掛部４０，４１はマスク本体１０と一体形成されてもよい。
【００２３】
耳掛部４０，４１の素材は、特に限定されず、ポリウレタンやゴムといった伸縮性を有する材料であってもよいし、綿や麻といった伸縮性を有さない素材であってもよい。
【００２４】
（作用効果）
本実施形態の作用および効果について説明する。
【００２５】
上記のように構成された口分離部２０により、マスク内部空間を鼻孔周りの空間５０と口元周りの空間５１とに分離することで、口から吐いた息は口元周りの空間５１に止まり、鼻孔周りの空間５０には流れ込まなくすることができる。そして、鼻呼吸時に鼻から吸い込む空気は、口から吐いた息が流れ込まない鼻孔周りの空間５０から吸い込まれるので、直接的に口から吐いた息を鼻から吸い込むことを防止することができる。
【００２６】
また、上記のように構成された庇部３０により、マスク本体１０の外側であってマスク本体１０の近傍において、鼻孔周りの空間５０と空気の入れ替えが起こる空間５２と口元周りの空間５１と空気の入れ替えが起こる空間５３とを、隔てることができる。それにより、口から吐き出された息は、マスク本体１０を通して空間５３に放出された後、空間５２に流れ込むことを防ぐことができる。そして、鼻孔周りの空間５０には、口から吐いた息が流れ込まない空間５２の空気が取り込まれるので、マスク本体１０を介して間接的にも口から吐いた息を鼻から吸い込むことを防止することができる。このとき、上記のように構成された口分離部２０により鼻孔周りの空間５０は狭くなっているために、鼻呼吸時に、口から吐いた息が流れ込みにくい空間５２の空気を空間５０に取り込みやすくなっている。
【００２７】
このように、本実施形態のマスク１では、鼻呼吸時に、口から吐いた息を直接的および間接的に鼻から吸い込むことを防ぐことができる。すなわち、鼻呼吸時に、口から吐いた息をほぼ完全に、詳細には、口から吐いた息の９５％以上を、鼻から吸い込むことを防止できる。また、鼻呼吸時に、口から吐いた息を含まない空気を空間５２から鼻孔周りの空間５０に取り込んで鼻から吸い込みやすくなっている。それにより、鼻から吸い込む空気の酸素濃度が低下することを防ぐことができ、マスクを着用したまま呼吸を続けても脳が酸素不足となることなく疲労せず頭痛は引き起こさず、また、熱も籠らないため熱中症も引き起こさなくできる。また、口から吐いた息を直接的および間接的に鼻から吸い込むことを防ぐことで、口から吐き出された息に含まれる口臭、唾液の飛沫、熱を鼻から吸い込むことも防止することもできる。更には、マスク１は、快適な呼吸を提供できるので、不快感によりマスクを外してしまうことを防ぎ、着用者および着用者周囲の人の健康を守ることができる。
【００２８】
なお、布やガーゼといった目が粗い素材で形成されたマスクの場合は、上記効果が特に発揮される。これらのマスクは、マスクを介しても口から吐き出された息を鼻で吸い込む量が、目が細かい素材に比べて多く、また、口から吐き出された息に含まれる口臭、唾液の飛沫、熱をマスク本体で取り除ききれないためである。
【００２９】
（その他の実施形態）
なお、本実施形態では、口分離部２０はコの字型であるが、口分離部２０の形態はこれに限らない。例えば、口分離部２０を、Ｕ字型、Ｖ字型、丸型であってもよい。なお、丸型は、口元の周囲が口分離部２０により完全に囲われるため、最も密閉性が高い。
【００３０】
また、本実施形態では、口分離部２０の左右分離部２２，２３は、上部分離部２１付近よりもマスク下端縁１４付近（以下、下端という）の厚みが薄いのが望ましく、左右分離部２２，２３の下端の厚みは０ｍｍであってもよい。更に、左右分離部２２，２３は、任意の位置から下端に向けて徐々に厚みが薄くなるのが望ましい。それにより、マスク下端縁１４と着用者１００の顎との間に隙間が生じることを防ぐことができる。
【００３１】
また、本実施形態では、マスク本体１０の口分離部２０で囲まれた部分にフィルターを設けてもよい。フィルターは交換可能であって、適宜交換することで、マスク本体１０を清潔に保つことや、マスク外に出る口から吐く息を減らして口から吐き出された息を鼻から吸い込むことを更に防ぐこともできる。フィルターは、不織布、紙、ガーゼ等であって、活性炭が混ぜ込んだものであったり、アロマを含ませたものであったりと、呼吸を快適にする機能を持ったものであってもよい。
【００３２】
また、本実施形態では、マスク本体１０において口分離部２０の上部とその他の部分とで、異なるシート構成としてもよい。例えば、マスク本体１０において口分離部２０の上部を布とガーゼの２層のシートで構成し、その他の部分は布の１層のシートで構成する。
【００３３】
また、本実施形態では、口分離部２０の上部分離部２１と庇部３０とは、マスクの内側外側の違いはあるが、いずれも、鼻孔と口元との間に位置する部分に設けられている。上部分離部２１と庇部３０とは、マスク本体１０を挟んで対向してもよいし、対向せずに上下にずれていてもよい。
【００３４】
また、本実施形態では、耳掛部４０，４１は、一本の紐状の部材で形成されているが、マスク本体１０の左／右端部１５，１６の上部に接合させた一本の紐状の部材と、マスク本体１０の左／右端部１５，１６の下部に接合させたもう一本の紐状の部材との、２本の紐状の部材で形成されてもよい。左／右端部１５，１６の上部または下部に接合されていない他方の端部を結び合わせることによって、長さ調節を行うことができる。
【００３５】
更に、耳掛部４０，４１は、一本の紐状の部材で形成されている場合において、アジャスターといった調節部を備えて、長さ調節を行えるようにしてもよい。このように、耳掛部４０，４１を長さ調節できるようにすることで、着用者が自身にあった長さにでき、マスク１を長時間着用しても耳が疲れにくい。
【００３６】
本発明のマスクは、上述した実施形態に制限されることなく、本発明の目的、趣旨を逸脱しない範囲内において、各実施形態の技術や当該技術分野の公知の技術を用いた組合せや置換等が可能である。
【符号の説明】
【００３７】
１          マスク
１０        マスク本体
２０        口分離部
２１        上部分離部
２２，２３  左右分離部
３０        庇部
４０，４１  耳掛部
【図１】
0003228839.tif 000003
【図２】
0003228839.tif 000004
【図３】
0003228839.tif 000005